(57)【要約】【課題】撮影時又は再生時において電子ズームを使用する際に、現在拡大している範囲が元画の全体画像に対してどのあたりかを一目で確認できる画像信号処理装置及び電子カメラを提供する。【解決手段】電子ズーム機能と画像表示装置を備えた電子カメラにおいて、撮影時又は再生時に電子ズームを使用すると、画像表示装置の画面枠４４全体に拡大された画像が表示される。このとき、最大画角の全体画像（ズーム無し状態の元画）の範囲に対して、現在表示中の拡大画像がどの領域範囲を切り出して拡大しているかを示す拡大範囲情報４６が拡大画像に重ね表示される。ユーザが移動キーや十字キーなどを操作して、拡大画像の表示位置を移動させる指令を入力すると、その指令に従って電子ズーム拡大範囲が移動し、拡大画像の表示範囲が変更されるとともに、これに対応する拡大範囲情報４６の表示位置も変更される。【選択図】　　図３
2004072207.tif 000002
【特許請求の範囲】
【請求項１】
画像信号を電子的に処理することにより拡大画像を得る電子ズーム手段と、
画像内容を表示するための画像表示手段と、
前記電子ズーム手段による拡大倍率を変更する指示を入力する倍率変更操作手段と、
前記画像表示手段の画面上に表示される拡大画像の表示範囲を移動させる指示を入力する移動操作手段と、
前記倍率変更操作手段の操作に従って前記電子ズーム手段で拡大処理された画像を前記画像表示手段の画面上に表示させるとともに、現在表示している拡大画像が最大画角の全体画像に対してどの領域範囲を拡大しているかを示す拡大範囲情報を前記拡大画像に重ねて表示させる制御を行う一方、前記移動操作手段によって移動の指示が入力されると、その指示に従って拡大画像の表示範囲及び拡大範囲情報の表示位置を変更する処理を行う表示制御手段と、
を備えたことを特徴とする画像信号処理装置。
【請求項２】
被写体の光学像を電子信号に変換する撮像手段と、
前記撮像手段を介して撮影された画像を記録媒体に記録する記録手段と、
前記撮像手段を介して取得された画像又は前記記録媒体に記録されている画像を表示する画像表示手段と、
前記撮像手段を介して取得された画像又は前記記録媒体に記録されている画像の画像信号を電子的に処理することにより拡大画像を得る電子ズーム手段と、
前記電子ズーム手段による拡大倍率を変更する指示を入力する倍率変更操作手段と、
前記画像表示手段の画面上に表示される拡大画像の表示範囲を移動させる指示を入力する移動操作手段と、
前記倍率変更操作手段の操作に従って前記電子ズーム手段で拡大処理された画像を前記画像表示手段の画面上に表示させるとともに、現在表示している拡大画像が最大画角の全体画像に対してどの領域範囲を拡大しているかを示す拡大範囲情報を前記拡大画像に重ねて表示させる制御を行う一方、前記移動操作手段によって移動の指示が入力されると、その指示に従って拡大画像の表示範囲及び拡大範囲情報の表示位置を変更する処理を行う表示制御手段と、
を備えたことを特徴とする電子カメラ。
【発明の詳細な説明】
【０００１】
【発明の属する技術分野】
本発明は画像信号処理装置及び電子カメラに係り、特に画像信号を電子的に処理することにより拡大画像を得る電子ズーム機能を具備した画像信号処理装置及び電子カメラに関する。
【０００２】
【従来の技術】
一般的なデジタルカメラは、カメラ本体の液晶モニタ（ＬＣＤ）に撮像中の画像を表示して画角の確認を行うことができる。このとき、ズーム操作を行うと、その指定倍率に応じて拡大された画像がＬＣＤ画面全体に表示される。したがって、ＬＣＤに表示されている画像（拡大画像）が元画の全体（すなわち、ズーム無しの画像、例えば、ワイド端の画像）に対してどの程度の範囲を拡大しているのかを同時に確認することはできない。
【０００３】
この点、特開平１−５７２４８号公報に開示されたビデオカメラは、光学ズームレンズの現在の撮影倍率及び最高倍率に関する情報を被写体とともに電子ファインダに表示することを特徴としている。
【０００４】
また、ビデオカメラ等の電子カメラの分野においては、画像信号を電子的に処理して拡大画像を得る電子ズーム機能が知られており、光学ズーム機能と電子ズーム機能とを併用するカメラもある。
【０００５】
【発明が解決しようとする課題】
しかしながら、従来のカメラにおいては、電子ズームによって拡大表示された画像が電子ズーム無しの時（撮像素子の全エリア）の表示範囲に対して、どの部分を切り出しているのかを把握することができず、上記公報においても、そのような手段について記載がない。
【０００６】
本発明はこのような事情に鑑みてなされたもので、撮影時又は再生時において電子ズームを使用する際に、現在拡大している範囲が元画の全体画像に対してどのあたりかを一目で確認できる画像信号処理装置及び電子カメラを提供することを目的とする。
【０００７】
【課題を解決するための手段】
前記目的を達成するために本発明に係る画像信号処理装置は、画像信号を電子的に処理することにより拡大画像を得る電子ズーム手段と、画像内容を表示するための画像表示手段と、前記電子ズーム手段による拡大倍率を変更する指示を入力する倍率変更操作手段と、前記画像表示手段の画面上に表示される拡大画像の表示範囲を移動させる指示を入力する移動操作手段と、前記倍率変更操作手段の操作に従って前記電子ズーム手段で拡大処理された画像を前記画像表示手段の画面上に表示させるとともに、現在表示している拡大画像が最大画角の全体画像に対してどの領域範囲を拡大しているかを示す拡大範囲情報を前記拡大画像に重ねて表示させる制御を行う一方、前記移動操作手段によって移動の指示が入力されると、その指示に従って拡大画像の表示範囲及び拡大範囲情報の表示位置を変更する処理を行う表示制御手段と、を備えたことを特徴とする。
【０００８】
本発明の画像信号処理装置によれば、ユーザが倍率変更操作手段からズーム操作（変倍操作）を行うと、その操作指示に従って電子ズーム手段が作動し、画像拡大の信号処理が行われる。画像表示手段の画面には拡大された画像が表示される。また、このとき、最大画角の全体画像（すなわち、ズーム無し状態の元画）の範囲に対して、現在表示中の拡大画像がどの領域範囲を切り出して拡大しているかを示す拡大範囲情報が拡大画像に重ね表示される。かかる拡大画像の表示状態において、ユーザが移動操作手段を操作し、画像表示手段の画面における拡大画像の表示範囲を移動させる指令を入力すると、その指令に従って信号処理が行われ、電子ズーム拡大範囲が移動する。これにより、画像表示手段に表示される拡大画像の表示範囲が変更されるとともに、これに対応する拡大範囲情報の表示も変更される。
【０００９】
拡大範囲情報の表示形態としては、拡大切出し範囲を示す枠線を表示してもよいし、当該領域の画像信号に一律信号加算を行い表示濃度（明るさ）を変えるなどの態様もある。このように、拡大範囲情報の重畳表示機能によって、単一の画面内において拡大画像の表示と、これに対応する拡大範囲情報の表示とを同時に行うようにしたので、ユーザは現在拡大している範囲が元画の全体画像に対してどのあたりかを一目で確認できる。したがって、ユーザは撮影時に構図の設定をより効率的に行うことができる。また、再生時においても、全体画像との関係で電子ズームされている範囲が分かるため、周辺の領域があとどれだけあるかを一目で判断でき、トリミングなどを行う際に全体のバランスを予測しやすい。
【００１０】
上記構成の画像処理装置を適用した電子カメラを提供すべく、本発明に係る電子カメラは、被写体の光学像を電子信号に変換する撮像手段と、前記撮像手段を介して撮影された画像を記録媒体に記録する記録手段と、前記撮像手段を介して取得された画像又は前記記録媒体に記録されている画像を表示する画像表示手段と、前記撮像手段を介して取得された画像又は前記記録媒体に記録されている画像の画像信号を電子的に処理することにより拡大画像を得る電子ズーム手段と、前記電子ズーム手段による拡大倍率を変更する指示を入力する倍率変更操作手段と、前記画像表示手段の画面上に表示される拡大画像の表示範囲を移動させる指示を入力する移動操作手段と、前記倍率変更操作手段の操作に従って前記電子ズーム手段で拡大処理された画像を前記画像表示手段の画面上に表示させるとともに、現在表示している拡大画像が最大画角の全体画像に対してどの領域範囲を拡大しているかを示す拡大範囲情報を前記拡大画像に重ねて表示させる制御を行う一方、前記移動操作手段によって移動の指示が入力されると、その指示に従って拡大画像の表示範囲及び拡大範囲情報の表示位置を変更する処理を行う表示制御手段と、を備えたことを特徴とする。
【００１１】
すなわち、本発明に係る電子カメラは、電子ズーム機能を有し、撮像手段を介して取得された映像は画像表示手段の画面に表示される。撮影者（ユーザ）が倍率変更操作手段を操作してズーム操作（変倍操作）を行うと、その操作指示に従って電子ズーム手段が作動し、画像表示手段の画面上において撮像に係る映像の拡大画像が表示される。このとき、最大画角撮影時の画像（すなわち、ズーム無しの画像）の表示範囲に対して、現在表示中の拡大画像がどの領域範囲を切り出して拡大しているかを示す拡大範囲情報が拡大画像に重ね表示される。
【００１２】
かかる拡大画像の表示状態において、ユーザが移動操作手段を操作し、画像表示手段の画面における拡大画像の表示範囲を移動させる指令を入力すると、その指令に従って信号処理が行われ、電子ズーム拡大範囲が移動する。これにより、画像表示手段に表示される拡大画像の表示範囲が変更されるとともに、これに対応する拡大範囲情報の表示も変更される。
【００１３】
このように、拡大範囲情報の重畳表示機能によって、単一の画面内において拡大画像の表示と、これに対応する拡大範囲情報の表示とを同時に行うようにしたので、ユーザは現在拡大している範囲が元画の全体画像に対してどのあたりかを一目で確認でき、撮影構図の設定をより効率的に行うことができる。
【００１４】
また、電子ズームによる拡大範囲を光軸中心以外にも移動できるので、例えば、撮影時に三脚などを用いてカメラを固定した場合であっても、カメラを動かすことなく電子ズームの拡大範囲を移動することで、全体画像に対する撮影対象位置を把握できる。
【００１５】
更にまた、電子カメラが再生機能（記録した画像を画像表示手段に再生表示する機能）を有している場合には、再生画像についても上述の電子ズーム機能による拡大表示や拡大範囲情報の重畳表示が行われる。
【００１６】
【発明の実施の形態】
以下添付図面に従って本発明に係る画像信号処理装置及び電子カメラの好ましい実施の形態について詳説する。
【００１７】
図１は本発明の実施形態に係る電子カメラの構成を示すブロック図である。このカメラ１０は、被写体の光学像をデジタル画像データに変換して記録メディア１２に記録するデジタルカメラであり、撮影光学系としての撮影レンズ１４及びＣＣＤ固体撮像素子（以下、ＣＣＤという。）１６を備えている。なお、ＣＣＤ１６に代えて、ＭＯＳ型固体撮像素子など他の方式の撮像素子を用いることも可能である。
【００１８】
撮影レンズ１４には単焦点レンズが用いられているが、ズームレンズのような焦点距離可変のレンズを用いてもよい。カメラ１０は電子ズーム機能を有し、電子ズームによって拡大画像を得ることができる。本例のカメラ１０においては、選択される記録画素数モードに応じて、画質劣化が生じない範囲で電子ズームによる倍率変更が可能となっている。
【００１９】
例えば、記録画素数（撮影解像度）を「２４００×１８００」、「１６００×１２００」、「１２８０×　９６０」、又は「６４０　×４８０　」に設定できるものとすると、選択される解像度に応じて、画質劣化が生じない範囲で電子ズームによる倍率可変範囲が制限される。記録画素数を「２４００×１８００」に設定したときは、フル画素を使用するため、電子ズームで拡大処理を行うと画質劣化が生じる。したがって、「２４００×１８００」の記録画素数が設定されている場合には、撮影モードにおいて電子ズームの使用が禁止される。記録画素数が「１６００×１２００」、「１２８０×　９６０」、又は「６４０　×４８０　」の時は、電子ズーム機能を使用できるようになる。低画素数の場合ほど電子ズームの倍率可変範囲が大きくなる。
【００２０】
逆に、再生時の電子ズーム機能（再生ズーム機能）については、再生時の画質劣化が生じない範囲で電子ズームによる拡大表示が可能であるため、記録画素数が大きいほど最大ズーム倍率は大きくなる。
【００２１】
ズームスイッチ１８は、電子ズーム機能による拡大／縮小の指示に使用される操作部である。また、カメラ１０には、電子ズーム機能による拡大切出し範囲を移動させる指令を行う移動キー２０と、その移動方向と移動量を指令するための十字キー２２が設けられている。なお、十字キー２２の上／下キーをズームキーとして兼用する態様も可能である。
【００２２】
本例では移動キー２０を押して切出し範囲の移動モードに切り換えてから十字キー２２を押すことによって拡大切出し範囲を移動できる。その後、移動キー２０を再度押下すると、移動モードが解除されるようになっている。なお、移動キー２０を押しながら、十字キー２２を押すこと（移動キー２０との同時押下）によって拡大切出し範囲を移動操作する態様でもよい。
【００２３】
カメラ１０の撮影機能について説明すると、撮影レンズ１４を通過した光は、ＣＣＤ１６の受光面に結像される。ＣＣＤ１６の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ１６は、各フォトダイオードの電荷蓄積時間（シャッタースピード）を制御する電子シャッター機能を有している。
【００２４】
ＣＣＤ１６の受光面に結像された被写体像は、各フォトダイオードによって入射光量に応じた量の信号電荷に変換される。各フォトダイオードに蓄積された信号電荷は、図示せぬＣＣＤ駆動回路から与えられる駆動パルスに基づいて信号電荷に応じた電圧信号（画像信号）として順次読み出される。
【００２５】
ＣＣＤ１６から出力された信号はカメラ信号処理回路２４に入力される。カメラ信号処理回路２４は、相関二重サンプリング（ＣＤＳ）回路、ゲインコントロール（ＧＣ）回路及びＡ／Ｄ変換器等を含む。カメラ信号処理回路２４においてサンプリング処理、色分離、ホワイトバランス調整などの所要の処理が施された画像信号はＡ／Ｄ変換器によってデジタル信号に変換された後、システム制御回路３０に入力される。
【００２６】
システム制御回路３０は、中央演算処理装置（ＣＰＵ）及びＣＰＵ周辺回路（ＲＯＭ、ＲＡＭ、メモリコントローラなど）を含み、カメラ１０の制御手段として機能するとともに、ＡＥ演算・ＡＦ演算その他の各種演算を行う演算手段として機能する。また、システム制御回路３０は、デジタル画像信号を処理する画像処理回路（信号処理手段）を備えるとともに、表示出力用の画像に対して後述する拡大切出し範囲の情報を付加する表示混合（ＭＩＸ）回路３２を備えている。
【００２７】
システム制御回路３０内の画像処理回路は、輝度・色差信号生成回路、ガンマ補正回路、輪郭強調回路、ホワイトバランス補正回路、電子ズーム処理（拡大／縮小処理）回路等を含む。カメラ信号処理回路２４よりシステム制御回路３０に入力された画像信号は、輝度信号（Ｙ信号）及び色差信号（Ｃｒ，Ｃｂ　信号）に変換されるとともに、ガンマ補正等の所定の処理が施された後、ＲＡＭに記憶される。
【００２８】
撮影画像をモニタ出力する場合、ＲＡＭから画像データが読み出され、表示信号処理回路３４へ送られる。表示信号処理回路３４は、入力された画像データを表示用の所定方式の信号（例えば、ＮＴＳＣ方式のカラー複合映像信号）に変換して液晶モニタ等の画像表示装置３６に出力する。なお、画像表示装置３６は、液晶モニタに限定されず、有機ＥＬなど他の方式の表示手段を用いてもよい。
【００２９】
ＣＣＤ１６から出力される画像信号によってＲＡＭ内の画像データが定期的に書き換えられ、その画像データから生成される映像信号が画像表示装置３６に供給されることにより、撮像中の映像がリアルタイムに表示される。撮影者は画像表示装置３６に表示される映像（いわゆるスルームービー）によって画角（構図）を確認できる。
【００３０】
スルームービー表示中にユーザがズームスイッチ１８を操作すると、システム制御回路３０内の電子ズーム処理回路において、画像信号の拡大処理が行われる。拡大された画像は画像表示装置３６の画面全体に表示される。
【００３１】
システム制御回路３０は、ズームスイッチ１８、移動キー２０、十字キー２２、レリーズスイッチ３８などの操作部から入力する信号に基づいてカメラ１０内の各回路を制御し、例えば、カメラ動作に必要なレンズ駆動制御、撮影動作制御、画像処理制御、記録メディア１２の読み書き制御、画像表示装置３６の表示制御などを行う。
【００３２】
レリーズスイッチ３８が押下操作されると、撮影開始指示（レリーズＯＮ）信号が発せられる。システム制御回路３０はレリーズＯＮ信号を検知して、撮影動作を実行する。すなわち、システム制御回路３０は、レリーズ信号の入力に応動してＡＥ演算及びＡＦ演算を行うとともに、記録用の画像を取り込むためのＣＣＤ露光及び読み出し制御を実施する。
【００３３】
レリーズ信号の入力に応動して取り込まれた画像データは、システム制御回路３０の画像処理回路に送られ、画像処理回路において輝度・色差信号変換（ＹＣ変換）処理その他の所定の信号処理を経た後、記録／再生処理回路４０に送られる。
【００３４】
記録／再生処理回路４０は、データの圧縮及び伸長を行う信号処理部とメディアインターフェース部を含む。システム制御回路３０から記録／再生処理回路４０に入力された記録用の画像データは、記録／再生処理回路４０において所定の圧縮フォーマット（例えば、ＪＰＥＧ方式）　に従って圧縮され、記録メディア１２に記録される。記録形式はＪＰＥＧ方式に限定されず、ＭＰＥＧその他の記録方式を採用してもよい。画像データを保存するための手段は、メモリカードで代表される半導体メモリに限定されず、磁気ディスク、光ディスク、光磁気ディスクなど、種々のメディアを用いることができる。また、リムーバブルメディアに代えて、又はこれと併用して、カメラ１０に内蔵された記録メディア（内部メモリ）に画像データを保存する態様も可能である。
【００３５】
図示せぬモード選択操作手段（モードダイヤルなど）によって再生モードが選択されると、記録メディア１２から画像ファイルが読み出され、記録／再生処理回路４０によって伸長処理された後、表示信号処理回路３４を介して画像表示装置３６に出力される。こうして、記録済み画像の再生表示が行われる。画像の再生表示中に操作部の十字キー（例えば、右キー又は左キー）を操作することによって、再生対象のファイルを切り換えること（順コマ送り／逆コマ送り）ができる。
【００３６】
次に、上記の如く構成されたカメラ１０のズーム動作及びズーム拡大範囲の表示機能について説明する。
【００３７】
図２は、画像表示装置３６の表示例を示す図である。画像表示装置３６の画面枠４４は、電子ズーム無し（電子ズーム倍率１倍）の時の画面表示範囲を示す。スルームービー表示中にズーム操作を行うと、指令倍率に応じて画像が拡大され、画面枠４４一杯に拡大画像が表示されるとともに、図２の符号４６で示したように、拡大切出し範囲を示す領域情報（以下、拡大範囲情報という。）が重ね表示（同時表示）される。この拡大範囲情報４６は、電子ズームにより拡大された画像がズーム無し時の元画に対して、どの部分を切り出して拡大されたものであるかを明示するものである。拡大範囲情報４６の表示形態は、単純な枠線でもよいし、領域枠の四隅（コーナ）のみを示すブラケット表示等でもよく、また、対象領域を他の領域と識別できるように強調表示（特殊表示）した枠面であってもよい。
【００３８】
具体的な表示例としては、例えば、画像表示内に拡大切出し範囲が分かるように枠線を重ねて表示する。または、その領域内の画像信号に一律信号加算を行い、領域内を他の領域よりも明るく表示するなどの態様がある。なお、拡大範囲情報４６を表示する場合には、表示中の画像確認にあまり影響を与えないレベルで表示することが望ましい。
【００３９】
拡大範囲情報４６を表示するために必要なエリア情報の信号（加算すべき信号や枠線の信号など）は、システム制御回路３０内の信号生成部（不図示）において生成される。信号加算や枠線の重畳処理は図１で説明した表示ＭＩＸ回路３２において実施される。図１では、システム制御回路３０内の表示ＭＩＸ回路３２によって、撮影に係る画像信号とエリア情報の信号を混合してから表示信号処理回路３４に出力しているが、本発明の実施に際しては、表示信号処理回路３４内に表示ＭＩＸ回路を設ける態様も可能である。この場合、システム制御回路３０から表示信号処理回路３４に対して撮影に係る画像信号とエリア情報の信号とを別々に与え、表示信号処理回路３４においてこれら両信号を加算するようにしてもよい。
【００４０】
こうして、画像表示装置３６にはズームされた画像が画面枠４４の全体に表示されるとともに、電子ズーム無し（倍率１倍）の全体画像に対する拡大切出し範囲を示す拡大範囲情報４６が同時に表示される。ユーザは拡大表示されている画像が全体画像（画面枠４４で暗示される元画の画像範囲）に対してどの程度の範囲であるかを一目で理解できるため、画枠設定（構図設定）をより効率的に行うことができる。
【００４１】
また、拡大範囲は画面のセンタ中心（光軸中心）に限定されず、画面内の任意の位置に移動させることも可能である。すなわち、電子ズーム拡大している状態で移動キー２０と十字キー２２を操作することによって、電子ズームによる表示位置を変更することができる。
【００４２】
図３に示したように、電子ズーム機能による拡大切出し範囲は、画面内において上下左右の任意の位置に移動させることができる。指定した位置に応じて画面上における拡大画像の表示が移動するとともに、拡大範囲情報４６の表示が移動し、全体の拡大範囲とその位置関係が分かるようになっている。
【００４３】
上述した拡大範囲情報４６は撮影時のみならず、再生時においても表示される。拡大された画像とともに拡大範囲情報４６を重ね表示したことにより、電子ズームの範囲が分かるため、拡大範囲の周辺の領域があとどれだけあるか一目で判断でき、再生時にトリミングを行ったりする際に全体のバランスを予測しやすい。
【００４４】
上述した本発明の実施形態によれば、三脚などにカメラ１０を固定して撮影する場合においては、電子ズーム機能によって撮影倍率の変更を行い、カメラ１０を動かすことなく拡大範囲を移動することで、全体画像に対する撮影対象位置を把握できる。
【００４５】
また、拡大範囲情報４６を表示する機能と併せて、記録メディア１２に記録した画像信号の一部範囲を切り出して、当該切り出し部分の画像を新たに記録メディア１２に記録する機能（トリミング保存機能）をカメラ１０に搭載する態様もが好ましい。
【００４６】
更にまた、撮影直後に当該撮影画像を記録メディア１２に記録する前に撮影画像を画像表示装置３６に表示（プレビュー表示）して記録の可否を選択させ、指示入力手段から入力される記録実行の指示に応じて撮影画像を記録メディア１２に記録する処理を行うプレビュー機能を有し、このプレビュー表示中にトリミングを行うことができる態様も好ましい。
【００４７】
上記実施の形態では、デジタルカメラを例に説明したが、本発明の適用範囲はこれに限定されず、ビデオカメラ、カメラ付き携帯電話、カメラ付きパソコンなど、撮像素子を用いて被写体像を電気信号に変換して撮像する電子カメラ及びこれを搭載した装置、更には、画像記録機能を有していない画像再生装置等に広く適用できる。
【００４８】
また、本発明に係る画像信号処理装置は、コンピュータによって実現することが可能である。本発明の拡大範囲情報の重畳表示機能を実現させるためのプログラムをＣＤ−ＲＯＭや磁気ディスクその他の記録メディアに記録し、記録メディアを通じて当該プログラムを第三者に提供したり、インターネットなどの通信回線を通じて当該プログラムのダウンロードサービスを提供することも可能である。
【００４９】
【発明の効果】
以上説明したように本発明によれば、電子ズーム機能によって画像表示手段の画面上に拡大画像を表示すると同時に、現在表示中の拡大画像がズーム無しの画像に対してどの範囲を切り出して拡大しているかを示す拡大範囲情報を重ね表示するようにしたので、ユーザは現在拡大している範囲が最大画角の全体画像に対してどのあたりかを一目で確認でき、撮影構図の設定をより効率的に行うことができる。
【００５０】
また、本発明においては、電子ズームの拡大範囲を光軸中心以外にも移動でき、その移動に伴って拡大範囲情報の表示も移動する構成にしたので、全体画像に対する現在の拡大範囲の位置関係を容易に把握することができる。
【図面の簡単な説明】
【図１】本発明の実施形態に係る電子カメラの構成を示すブロック図
【図２】画像表示装置における拡大範囲情報の表示例を示す図
【図３】拡大切出し範囲を光軸中心以外にも移動できる例を示した図
【符号の説明】
１０…カメラ、１２…記録メディア、１４…撮影レンズ、１６…ＣＣＤ、１８…ズームスイッチ、２０…移動キー、２２…十字キー、３０…システム制御回路、３２…表示ＭＩＸ回路、３４…表示信号処理回路、３６…画像表示装置
【図１】
2004072207.tif 000003
【図２】
2004072207.tif 000004
【図３】
2004072207.tif 000005